【手続補正書】
【提出日】平成27年8月31日(2015.8.31)
【手続補正１】
【補正対象書類名】明細書
【補正対象項目名】０００６
【補正方法】変更
【補正の内容】
【０００６】
本発明に係る画像処理装置は、
網膜の断層像を取得する断層像取得手段と、
前記網膜の複数の層境界を示す表示形態における複数の領域を示す表示形態の位置の変更を指示する指示手段と、
前記網膜の複数の層境界を示す表示形態それぞれを、前記断層像の該複数の層境界に対応する位置に重ねた状態で表示手段に表示させ、前記複数の領域のうちいずれかの表示形態の位置の変更が指示された場合に前記指示された表示形態を他の表示形態とは異なる表示形態で前記表示手段に表示させる表示制御手段と、
前記指示された表示形態の位置の変更に基づいて、前記層境界の位置の情報を変更する層境界情報変更手段と、
を備える。
【手続補正２】
【補正対象書類名】特許請求の範囲
【補正対象項目名】全文
【補正方法】変更
【補正の内容】
【特許請求の範囲】
【請求項１】
網膜の断層像を取得する断層像取得手段と、
前記網膜の複数の層境界を示す表示形態における複数の領域を示す表示形態の位置の変更を指示する指示手段と、
前記網膜の複数の層境界を示す表示形態それぞれを、前記断層像の該複数の層境界に対応する位置に重ねた状態で表示手段に表示させ、前記複数の領域のうちいずれかの表示形態の位置の変更が指示された場合に前記指示された表示形態を他の表示形態とは異なる表示形態で前記表示手段に表示させる表示制御手段と、
前記指示された表示形態の位置の変更に基づいて、前記層境界の位置の情報を変更する層境界情報変更手段と、
を備えることを特徴とする画像処理装置。
【請求項２】
前記指示された表示形態は、前記他の表示形態とは異なる編集状態を示す属性をつけられていることを特徴とする請求項１に記載の画像処理装置。
【請求項３】
前記指示手段により前記複数の層境界を示す表示形態のいずれかが選択された場合、前記表示制御手段は、前記選択された表示形態を他の表示形態とは異なる表示形態で前記表示手段に表示させることを特徴とする請求項１又は２に記載の画像処理装置。
【請求項４】
前記層境界情報変更手段は、前記網膜の深さ方向における前記複数の層境界を示す表示形態の位置関係が保持されるように、該複数の層境界を示す表示形態のいずれかの位置を変更することを特徴とする請求項１乃至３のいずれか１項に記載の画像処理装置。
【請求項５】
前記層境界情報変更手段は、前記位置が変更された層境界以外の層境界の位置の情報を変更する場合に、前記複数の層境界を示す表示形態が交差しないように、前記複数の層境界を示す表示形態のいずれかの位置を変更することを特徴とする請求項１乃至４のいずれか１項に記載の画像処理装置。
【請求項６】
前記層境界情報変更手段は、前記変更された位置に基づいて、前記複数の層境界を示す表示形態における前記複数の領域以外の領域の位置に対して、補完処理を行うことを特徴とする請求項１乃至５のいずれか１項に記載の画像処理装置。
【請求項７】
前記断層像がラジアルスキャンにより得られている場合、前記層境界情報変更手段は、前記ラジアルスキャンの中心に対応する中心を有した同心円に配置される複数の領域によって、前記補完処理を行うことを特徴とする請求項６に記載の画像処理装置。
【請求項８】
前記断層像からラジアルスキャン断層像を再構成する手段と、
前記層境界情報変更手段は、前記ラジアルスキャン断層像に変更された層境界の情報またはＲＰＥ端の位置の情報に基づいて、前記層境界の位置の情報を変更することを特徴とする請求項１乃至６のいずれか１項に記載の画像処理装置。
【請求項９】
網膜の断層像を取得する断層像取得手段と、
前記網膜の複数の層境界を示す表示形態それぞれを、前記断層像の該複数の層境界に対応する位置に重ねた状態で表示手段に表示させる表示制御手段と、
前記断層像における前記複数の層境界を示す表示形態の少なくとも一つの位置の変更を指示する指示手段と、
前記指示手段の指示に応じて、前記網膜の深さ方向における前記複数の層境界を示す表示形態の位置関係が保持されるように、該複数の層境界を示す表示形態の少なくとも一つの位置を変更する層境界情報変更手段と、
を備えることを特徴とする画像処理装置。
【請求項１０】
前記層境界情報変更手段は、前記指示手段の指示に応じて、前記複数の層境界を示す表示形態のうち隣接する２つの表示形態が交差しないように、該２つの表示形態の位置を変更することを特徴とする請求項９に記載の画像処理装置。
【請求項１１】
前記層境界情報変更手段は、前記２つの表示形態が接触し且つ該２つの表示形態のうち一方の表示形態が他方の表示形態の側に位置を変更するように指示された場合、前記２つの表示形態は連動して位置を変更することを特徴とする請求項１０に記載の画像処理装置。
【請求項１２】
網膜の断層像を取得する取得手段と、
前記網膜の複数の層境界を示す表示形態それぞれを、前記断層像の該複数の層境界に対応する位置に重ねた状態で表示手段に表示させる表示制御手段と、
前記複数の層境界のうち第１の層境界の位置の変更を指示する指示手段と、 
前記指示手段により前記第１の層境界の位置が前記複数の層境界のうち前記第１の層境界の隣の第２の層境界側に変更する指示がされた場合に、前記断層像の深さ方向における前記第１及び第２の層境界の位置関係が逆にならないように、前記第１及び第２の層境界の位置を変更する変更手段と、
を備えることを特徴とする画像処理装置。
【請求項１３】
前記変更手段が、前記第１及び第２の層境界が接触し、且つ前記第１の層境界の位置が前記第２の層境界側に更に変更すると、前記第１及び第２の層境界が接触した状態で前記第１及び第２の層境界の位置を一緒に変更することを特徴とする請求項１２に記載の画像処理装置。
【請求項１４】
前記変更手段が、前記第１及び第２の層境界の位置を一緒に変更した後に、前記第１の層境界の位置が前記第２の層境界とは反対側に変更されると、前記第１及び第２の層境界が非接触状態にされ且つ前記第１の層境界の位置が前記反対側に変更されることを特徴とする請求項１３に記載の画像処理装置。
【請求項１５】
網膜の断層像を取得する工程と、
前記網膜の複数の層境界を示す表示形態における複数の領域を示す表示形態の位置の変更を指示する工程と、
前記網膜の複数の層境界を示す表示形態それぞれを、前記断層像の該複数の層境界に対応する位置に重ねた状態で表示手段に表示させ、前記複数の領域のうちいずれかの表示形態の位置の変更が指示された場合に前記指示された表示形態を他の表示形態とは異なる表示形態で前記表示手段に表示させる工程と、
前記指示された表示形態の位置の変更に基づいて、前記層境界の位置の情報を変更する工程と、
を有することを特徴とする画像処理方法。
【請求項１６】
網膜の断層像を取得する工程と、
前記網膜の複数の層境界を示す表示形態それぞれを、前記断層像の該複数の層境界に対応する位置に重ねた状態で表示手段に表示させる工程と、
前記断層像における前記複数の層境界を示す表示形態の少なくとも一つの位置の変更を指示する指示手段の指示に応じて、前記網膜の深さ方向における前記複数の層境界を示す表示形態の位置関係が保持されるように、該複数の層境界を示す表示形態の少なくとも一つの位置を変更する工程と、
を有することを特徴とする画像処理方法。
【請求項１７】
網膜の断層像を取得する工程と、
前記網膜の複数の層境界を示す表示形態それぞれを、前記断層像の該複数の層境界に対応する位置に重ねた状態で表示手段に表示させる工程と、
前記複数の層境界のうち第１の層境界の位置の変更を指示する工程と、
前記第１の層境界の位置が前記複数の層境界のうち前記第１の層境界の隣の第２の層境界側に変更する指示がされた場合に、前記断層像の深さ方向における前記第１及び第２の層境界の位置関係が逆にならないように、前記第１及び第２の層境界の位置を変更する工程と、
を有することを特徴とする画像処理方法。
【請求項１８】
請求項１５乃至１７のいずれか１項に記載の画像処理方法の各工程をコンピュータに実行させるプログラム。